【手続補正書】
【提出日】平成28年12月12日(2016.12.12)
【手続補正１】
【補正対象書類名】明細書
【補正対象項目名】０００５
【補正方法】変更
【補正の内容】
【０００５】
さらには、画像全体に対して色ごとにヒストグラムを取得し、画像が緑、赤、青など、どの色味を帯びているか、判別した色が画面上のどこの領域に集中しているか、を判別し、これらの判別により得られた情報を用いてシーンの特定を行う技術が提案されている（例えば特許文献３）。
【手続補正２】
【補正対象書類名】明細書
【補正対象項目名】０００９
【補正方法】変更
【補正の内容】
【０００９】
前記目的を達成するため、本発明に係る撮像装置の一態様は、撮像手段と、前記撮像手段による撮影状況を判定する判定手段と、前記判定手段によって判定された前記撮影状況に基づいて、撮影パラメータを変化させながら前記撮像手段によって撮像された複数の画像を取得する制御手段と、を備える、ことを特徴とする。
【手続補正３】
【補正対象書類名】明細書
【補正対象項目名】００１０
【補正方法】変更
【補正の内容】
【００１０】
また、前記目的を達成するため、本発明に係る制御方法の一態様は、撮像手段を備える撮像装置の制御方法であって、前記撮像手段による撮影状況を判定するステップと、前記判定された前記撮影状況に基づいて、撮影パラメータを変化させながら前記撮像手段によって撮像された複数の画像を取得するステップと、を含む、ことを特徴とする。
【手続補正４】
【補正対象書類名】明細書
【補正対象項目名】００１１
【補正方法】変更
【補正の内容】
【００１１】
また、前記目的を達成するため、本発明に係るプログラムの一態様は、撮像手段を備える撮像装置を制御するコンピュータに、前記撮像手段による撮影状況を判定する機能、前記判定された前記撮影状況に基づいて、撮影パラメータを変化させながら前記撮像手段によって撮像された複数の画像を取得する機能、を実現させる、ことを特徴とする。
【手続補正５】
【補正対象書類名】明細書
【補正対象項目名】００１５
【補正方法】変更
【補正の内容】
【００１５】
Ａ．実施形態の構成
図１は、本発明の実施形態による撮像装置１０の構成を示すブロック図である。図１において、撮像装置１０は、例えば、デジタルカメラからなり、撮像レンズ１１、絞り兼用シャッタ１２、ＣＣＤ１３、ＴＧ（Timing Generator）１４、ユニット回路１５、画像処理部１６、レンズ駆動部１７、ＣＰＵ１８、ＤＲＡＭ１９、メモリ２０、フラッシュメモリ２１、表示部２２、キー入力部２３、カードＩ／Ｆ２４、及びメモリ・カード２５を備えている。
【手続補正６】
【補正対象書類名】明細書
【補正対象項目名】００３５
【補正方法】変更
【補正の内容】
【００３５】
一方、明るさのパラメータが（−）でない場合には（ステップＳ５８のＮＯ）、明るさのパラメータが（＋）であるということなので、ＣＰＵ１８は、ホワイトバランスの色シフト方向を、シアン−赤方向に、かつシフト補正量を＋５％に設定する（ステップＳ６２）。その後、ＣＰＵ１８は、ＣＣＤ１３で撮影し、撮影した画像に対して、ホワイトバランスの色味を、シアン方向へシフト量（１０％）、標準（０％）、赤方向へシフト量（１０％）で振る画像処理を施し（ブラケット撮影）、さらに、上記ホワイトバランス（シアン−赤、シフト補正量（＋５％））に従って補正処理（色シフト）した後、メモリ・カード２５に保存する（ステップＳ６４）。次に、ＣＰＵ１８は、ブラケット撮影した画像のサムネイルを作成し、表示部２２に表示する（ステップＳ６６）。この場合、色味が標準（シフトなし）の画像を中心とし、シフト量（１５％）でシアン方向へシフトされた画像、シフト量（１５％）で赤方向へシフトされた画像が表示される。その後、図２のステップＳ１２に戻る。
【手続補正７】
【補正対象書類名】明細書
【補正対象項目名】００３８
【補正方法】変更
【補正の内容】
【００３８】
一方、明るさのパラメータが（−）でない場合には（ステップＳ７２のＮＯ）、明るさのパラメータが（＋）であるということなので、ＣＰＵ１８は、ホワイトバランスの色シフト方向を、シアン−黄方向に、かつシフト補正量を＋５％に設定する（ステップＳ７６）。その後、ＣＰＵ１８は、ＣＣＤ１３で撮影し、撮影した画像に対して、ホワイトバランスの色味を、シアン方向へシフト量（１０％）、標準（０％）、黄方向へシフト量（１０％）で振る画像処理を施し（ブラケット撮影）、さらに、上記ホワイトバランス（シアン−黄、シフト補正量（＋５％））に従って補正処理（色シフト）した後、メモリ・カード２５に保存する（ステップＳ７８）。次に、ＣＰＵ１８は、ブラケット撮影した画像のサムネイルを作成し、表示部２２に表示する（ステップＳ８０）。この場合、色味が標準（シフトなし）の画像を中心とし、シフト量（１５％）でシアン方向へシフトされた画像、シフト量（１５％）で黄方向へシフトされた画像が表示される。その後、図２のステップＳ１２に戻る。
【手続補正８】
【補正対象書類名】明細書
【補正対象項目名】００４７
【補正方法】変更
【補正の内容】
【００４７】
上述した実施形態によれば、ホワイトバランス関連のブラケット撮影（自在撮影）時、撮影パラメータを固定ではなく、シーン判定、光源判定、明るさ判定の結果に基づいて、ホワイトバランスの色シフト方向や色シフト量を自動で変更することにより、その撮影状況に応じた撮影パラメータを自動で設定することができ、より印象深い画像を撮影することができる。
【手続補正９】
【補正対象書類名】明細書
【補正対象項目名】００４８
【補正方法】変更
【補正の内容】
【００４８】
なお、上述した実施形態においては、シーン判定、光源判定、明るさ判定の結果等によりホワイトバランスの色シフト方向や色シフト量を変更するようにしたが、これに加えて、撮影状況がローライト（暗所）判定であるか否かを判定するようにしてもよく、ローライトである場合、色シフト量を小さくする。
【手続補正１０】
【補正対象書類名】特許請求の範囲
【補正対象項目名】全文
【補正方法】変更
【補正の内容】
【特許請求の範囲】
【請求項１】
撮像手段と、
前記撮像手段による撮影状況を判定する判定手段と、
前記判定手段によって判定された前記撮影状況に基づいて、撮影パラメータを変化させながら前記撮像手段によって撮像された複数の画像を取得する制御手段と、
を備える、
ことを特徴とする撮像装置。
【請求項２】
前記制御手段は、前記撮影状況に基づいて、前記撮影パラメータとして、撮影時におけるホワイトバランスの色シフト方向を変更する、
ことを特徴とする請求項１に記載の撮像装置。
【請求項３】
前記制御手段は、前記撮影状況に基づいて、前記撮影パラメータとして、撮影時におけるホワイトバランスの色シフト方向と前記ホワイトバランスの色シフト量とを変更する、
ことを特徴とする請求項１に記載の撮像装置。
【請求項４】
前記判定手段は、前記撮影状況として、撮影時の撮影シーンを判定し、
前記制御手段は、前記撮影シーンが夕日であると判定された場合、前記撮影パラメータとして、撮影時のホワイトバランスの色シフト方向を青方向とマゼンダ方向とに変更する、
ことを特徴とする請求項１に記載の撮像装置。
【請求項５】
前記判定手段は、前記撮影状況として、撮影時の撮影シーンを判定し、
前記制御手段は、前記撮影シーンが夜景であると判定された場合、前記撮影パラメータとして、撮影時のホワイトバランスの色シフト方向を緑方向と赤方向とに変更する、
ことを特徴とする請求項１に記載の撮像装置。
【請求項６】
前記判定手段は、前記撮影状況として、撮影時の光源を判定し、
前記制御手段は、前記光源が太陽光であると判定された場合、前記撮影パラメータとして、撮影時のホワイトバランスの色シフト方向をシアン方向と赤方向とに変更する、
ことを特徴とする請求項１に記載の撮像装置。
【請求項７】
前記判定手段は、前記撮影状況として、撮影時の光源を判定し、
前記制御手段は、前記光源が蛍光灯であると判定された場合、前記撮影パラメータとして、撮影時のホワイトバランスの色シフト方向をシアン方向と黄方向とに変更する、
ことを特徴とする請求項１に記載の撮像装置。
【請求項８】
前記判定手段は、前記撮影状況として、撮影時の光源を判定し、
前記制御手段は、前記光源が太陽光ではなく、且つ、蛍光灯でもないと判定された場合、前記撮影パラメータとして、撮影時のホワイトバランスの色シフト方向を青方向と黄方向とに変更する、
ことを特徴とする請求項１に記載の撮像装置。
【請求項９】
前記判定手段は、前記撮影状況として、撮影時の明るさが所定の閾値よりも大きいか否かを判定し、
前記制御手段は、前記明るさが前記所定の閾値よりも大きいと判定された場合、前記撮影パラメータとして、撮影時のホワイトバランスの色シフト量を大きくし、前記明るさが前記所定の閾値よりも小さい又は前記所定の閾値と等しいと判定された場合、撮影時のホワイトバランスの色シフト量を小さくする、
ことを特徴とする請求項１乃至８のいずれか１項に記載の撮像装置。
【請求項１０】
前記制御手段は、
前記判定手段によって判定された前記撮影状況に基づいて、複数の撮影パラメータを変化させながら前記撮像手段によって撮像された前記複数の画像を取得する、
ことを特徴とする請求項１に記載の撮像装置。
【請求項１１】
前記複数の撮影パラメータのうちの、少なくとも１つは撮影時のホワイトバランスであり、少なくとも１つは明るさであり、
前記制御手段は、前記撮影状況に基づいて、前記撮影時における前記ホワイトバランスの色シフト方向を変更するとともに、取得した前記複数の画像の各々の前記明るさが所定の閾値よりも大きいと判定された場合、前記撮影時の前記ホワイトバランスの色シフト量を大きくし、前記明るさが前記所定の閾値よりも小さい又は前記所定の閾値と等しいと判定された場合、前記撮影時の前記ホワイトバランスの前記色シフト量を小さくする、
ことを特徴とする請求項１０に記載の撮像装置。
【請求項１２】
撮像手段を備える撮像装置の制御方法であって、
前記撮像手段による撮影状況を判定するステップと、
前記判定された前記撮影状況に基づいて、撮影パラメータを変化させながら前記撮像手段によって撮像された複数の画像を取得するステップと、
を含む、
ことを特徴とする制御方法。
【請求項１３】
撮像手段を備える撮像装置を制御するコンピュータに、
前記撮像手段による撮影状況を判定する機能、
前記判定された前記撮影状況に基づいて、撮影パラメータを変化させながら前記撮像手段によって撮像された複数の画像を取得する機能、
を実現させる、
ことを特徴とするプログラム。